(57)【特許請求の範囲】
【請求項１】
無線基地局が、上位装置からのＳＩＲ基準値変更指示に基づいて、移動機からの上り送信電力を制御する際の基準となるＳＩＲ基準値を変更する送信電力制御方法であって、
上位装置からのＳＩＲ基準値変更指示を受信すると、該ＳＩＲ基準値変更指示がＳＩＲ基準値を上げる旨の指示なのかＳＩＲ基準値を下げる旨の指示なのかを判定するステップと、
前記ＳＩＲ基準値変更指示がＳＩＲ基準値を上げる旨の指示であり、移動機から無線基地局への上り回線における現在の受信品質が一定の基準よりも良好な場合には、設定されているＳＩＲ基準値を、前記上位装置から指定されたＳＩＲ基準値に段階的に上げる更新処理を行うステップと、
前記ＳＩＲ基準値変更指示がＳＩＲ基準値を下げる旨の指示であり、移動機から無線基地局への上り回線における現在の受信品質が一定の基準よりも悪い場合には、設定されているＳＩＲ基準値を、前記上位装置から指定されたＳＩＲ基準値に段階的に下げる更新処理を行うステップと、を備えた送信電力制御方法。
【請求項２】
上位装置が、無線基地局から報告された、移動機から無線基地局への上り回線における受信品質に基づいて、ＳＩＲ基準値を変更することを決定した際に、ＳＩＲ基準値の変更を決定する際に判断対象としたフレーム範囲を示す情報とともにＳＩＲ基準値変更指示を無線基地局に送信するステップと、
上位装置からのＳＩＲ基準値変更指示を受信した無線基地局が、判断対象フレーム範囲における受信品質が一定の基準よりも良好か否かに基づいて、１フレーム期間でＳＩＲ基準値を更新するステップ幅を決定するステップとをさらに備えた請求項１記載の送信電力制御方法。
【請求項３】
前記ＳＩＲ基準値を段階的に上げる更新処理を行うステップでは、
移動機から無線基地局への上り回線における現在の受信品質が一定の基準よりも良好な場合には更新処理を保留し、一定の基準よりも受信品質が悪い場合にのみ、設定されたステップ幅でＳＩＲ基準値を上げる更新処理を行い、
前記ＳＩＲ基準値を段階的に下げる更新処理を行うステップでは
移動機から無線基地局への上り回線における現在の受信品質が一定の基準よりも悪い場合には更新処理を保留し、一定の基準よりも受信品質が良好な場合にのみ、設定されたステップ幅でＳＩＲ基準値を下げる更新処理を行う請求項１または２記載の送信電力制御方法。
【発明の詳細な説明】
【技術分野】
【０００１】
本発明は、無線基地局が、上位装置からのＳＩＲ（Signal to Interference power Ratio）基準値変更指示に基づいて、移動機からの上り送信電力を制御する際の基準となるＳＩＲ基準値を変更する送信電力制御（アウターループ送信電力制御）方法に関する。
【背景技術】
【０００２】
近年、移動通信システムに用いられる通信方式として、干渉や妨害に強いＣＤＭＡ通信方式が注目されている。このＣＤＭＡ通信方式とは、送信側では送信したいユーザ信号を拡散符号により拡散して送信し、受信側ではその拡散符号と同一の拡散符号を用いて逆拡散を行うことにより元のユーザ信号を得る通信方式である。このＣＤＭＡ通信方式では、複数の送信側がそれぞれ異なる拡散符号を使用して拡散を行ない、受信側では逆拡散を行う際に使用する拡散符号を選択することにより各通信の特定を行うことができるため、複数の通信により同一の周波数帯域を使用することができる。
【０００３】
このＣＤＭＡ通信方式では、使用する拡散符号がお互いに完全に直交性を有していれば他の信号に対して干渉することはない。しかし、使用する全ての拡散符号の間で完全に直交性を保つことは困難であるため、実際にはそれぞれの拡散符号は完全な直交とはならず、他符号との間に相関成分を有することとなる。そのため、これらの相関成分が自通信にとっては干渉成分となり、通信品質の劣化要因となる。このような要因で干渉成分が生じるため、通信の数が増えるに従って干渉成分も増加する。そのため、全ての移動機の送信電力を一定の値としたのでは、無線基地局に近い移動機からの電波が強すぎて遠い移動機からの信号が大きな干渉を受けてしまうという問題が発生してしまう。そこで、移動機から無線基地局への回線である上り回線の送信電力を適当な値とし、無線基地局における移動機の受信品質を一定にするような送信電力制御が行われている（例えば、特許文献１参照。）。
【０００４】
このような送信電力制御では、無線基地局において、常に移動機からの受信ＳＩＲを、設定されたＳＩＲ基準値（ＳＩＲ Target）と比較し、受信ＳＩＲがＳＩＲ基準値を超える場合には移動機に送信電力を下げるように指示し逆に満たない場合には上げるように指示することで、受信ＳＩＲがＳＩＲ基準値近辺となるような制御（インナーループ送信電力制御）が行われている。
【０００５】
さらに、一定の受信品質を保つためのＳＩＲ基準値は実際の電波状況等により変化するため、このＳＩＲ基準値を一定値にすると所要の受信品質が確保できなくなる場合も考えられる。そのため、上位装置において移動機−無線基地局間の通信品質を管理して、状況に応じて無線基地局に設定されているＳＩＲ基準値を変更するような送信電力制御（アウターループ送信電力制御）も行われる。
【０００６】
次に、このような送信電力制御の仕組みを図１２を参照して説明する。無線基地局は、移動機からの上り信号（ＵＬ−ＤＣＨ：Uplink Dedicated Channel）の受信ＳＩＲを測定するとともに、この上り信号の受信品質の測定を行いその結果をＱＥ（Quality Estimate）情報として上位装置に送信する（ステップ１０１）。ここでのＱＥ情報とは、受信時に記憶した復号前の受信データと復号後のデータも元に符号化したデータとを比較した結果を表した情報である。このＱＥ情報を使用することにより無線上の誤り率を推定することが可能である。
【０００７】
無線基地局では、測定された受信ＳＩＲとＳＩＲ基準値との比較を行い、受信ＳＩＲがＳＩＲ基準値に満たない場合には、送信電力を上げる旨のＴＰＣ（Transmission Power Control）情報を移動機に送信し、受信ＳＩＲがＳＩＲ基準値以上の場合には、送信電力を下げる旨のＴＰＣ情報を移動機に送信する。
【０００８】
また、上位装置では、無線基地局からのＵＬ−ＦＰ信号に含まれる品質情報により受信品質を判定する（ステップ１０３）。上位装置は、ＵＬ−ＦＰ（Frame Protocol）信号に含まれるＱＥ情報やＣＲＣＩ（Cyclic Redundancy Checksum Indicator）を用いて受信品質の判定を行う。ＣＲＣＩとは無線フレーム内のデータブロック毎に付与された巡回符号のチェックサムを確認した結果（誤り有り／誤り無し）を示したデータであり、上位装置では、このＣＲＣＩを確認することにより誤りの発生の有無を知ることが可能である。しかし、誤り訂正後にＣＲＣのチェックが行われるため、無線上は誤っていても訂正機能によりＯＫとなってしまいＣＲＣＩも誤り無しになってしまう。つまり、ＣＲＣＩだけでは、無線上誤りが発生していても訂正されてしまうと無線上誤り無しの良好な状態と区別がつかなくなってしまう。そのため、ＱＥ情報を利用した受信品質の判定が有効になる。
【０００９】
そして、上位装置では、ステップ１０３における判定結果に基づいて、ＳＩＲ基準値を変更するか否かの決定が行われ（ステップ１０４）、ＳＩＲ基準値の変更が決定された場合には、無線基地局に対してＤＬ−ＦＰ信号を介してＳＩＲ基準値の変更が指示されることになる。
【００１０】
この移動機、無線基地局、上位装置間の動作を表したシーケンスチャートを図１３に示す。また、無線基地局におけるＳＩＲ基準値と受信ＳＩＲの変動の様子を図１４に示す。
【００１１】
図１４のように上位装置は無線品質状況からＳＩＲ基準値を変更する必要があると判断した地点から無線基地局にＳＩＲ基準値変更（ＳＩＲ基準値変更指示）が届く地点までには遅延時間が生じる。そのため、上位装置が、移動機−無線基地局間において所要の無線品質が確保されていないと判断して無線基地局に対してＳＩＲ基準値を上げる旨の変更指示を送信した場合でも、その変更指示を無線基地局が受けた時には、既に受信状況が回復しているという場合もある。このように無線品質が回復しているにも関わらず送信電力を上げてしまうと、不要に送信電力が大きくなってしまい、他ユーザに対する無線品質を悪化される恐れが生じてしまう。また、上位装置が、移動機−無線基地局間における無線品質が過剰であると判断して、無線基地局に対してＳＩＲ基準値を下げる旨の変更指示を送信した場合でも、その変更指示を無線基地局が受信した時には、受信状況が悪化してしまっている場合もある。このように無線品質が悪化しているにも関わらず送信電力を下げてしまうと、所要の無線品質を確保することができなくなってしまうという問題が発生する。
【特許文献１】国際公開第２００４／０６８７４３号パンフレット
【発明の開示】
【発明が解決しようとする課題】
【００１２】
上述した従来の送信電力制御方法では、上位装置が無線基地局に設定されているＳＩＲ基準値の変更を決定した後に、移動機−無線基地局間の受信状況が変化した場合、無線基地局が上位装置からのＳＩＲ基準値変更指示に基づいてＳＩＲ基準値を変更してしまうと、最適な送信電力制御が行われない場合が発生するという問題点があった。
【００１３】
本発明の目的は、移動機−無線基地局間の受信状況が変化した場合であっても、移動機から無線基地局への上り送信電力を最適な状態に維持することにより、最適な送信電力制御を実現することが可能な送信電力制御方法を提供することである。
【課題を解決するための手段】
【００１４】
上記目的を達成するために、本発明の送信電力制御方法は、無線基地局が、上位装置からのＳＩＲ基準値変更指示に基づいて、移動機からの上り送信電力を制御する際の基準となるＳＩＲ基準値を変更する送信電力制御方法であって、
上位装置からのＳＩＲ基準値変更指示を受信すると、該ＳＩＲ基準値変更指示がＳＩＲ基準値を上げる旨の指示なのかＳＩＲ基準値を下げる旨の指示なのかを判定するステップと、
前記ＳＩＲ基準値変更指示がＳＩＲ基準値を上げる旨の指示であり、移動機から無線基地局への上り回線における現在の受信品質が一定の基準よりも良好な場合には、設定されているＳＩＲ基準値を、前記上位装置から指定されたＳＩＲ基準値に段階的に上げる更新処理を行うステップと、
前記ＳＩＲ基準値変更指示がＳＩＲ基準値を下げる旨の指示であり、移動機から無線基地局への上り回線における現在の受信品質が一定の基準よりも悪い場合には、設定されているＳＩＲ基準値を、前記上位装置から指定されたＳＩＲ基準値に段階的に下げる更新処理を行うステップとを備えている。
【００１５】
また、本発明の他の送信電力制御方法では、上位装置が、無線基地局から報告された、移動機から無線基地局への上り回線における受信品質に基づいて、ＳＩＲ基準値を変更することを決定した際に、ＳＩＲ基準値の変更を決定する際に判断対象としたフレーム範囲を示す情報とともにＳＩＲ基準値変更指示を無線基地局に送信するステップと、
上位装置からのＳＩＲ基準値変更指示を受信した無線基地局が、判断対象フレーム範囲における受信品質が一定の基準よりも良好か否かに基づいて、１フレーム期間でＳＩＲ基準値を更新するステップ幅を決定するステップとをさらに備えるようにしてもよい。
【００１６】
さらに、前記ＳＩＲ基準値を段階的に上げる更新処理を行うステップでは、
移動機から無線基地局への上り回線における現在の受信品質が一定の基準よりも良好な場合には更新処理を保留し、一定の基準よりも受信品質が悪い場合にのみ、設定されたステップ幅でＳＩＲ基準値を上げる更新処理を行い、
前記ＳＩＲ基準値を段階的に下げる更新処理を行うステップでは
移動機から無線基地局への上り回線における現在の受信品質が一定の基準よりも悪い場合には更新処理を保留し、一定の基準よりも受信品質が良好な場合にのみ、設定されたステップ幅でＳＩＲ基準値を下げる更新処理を行うようにしてもよい。
【００１７】
本発明では、無線基地局が上位装置からＳＩＲ基準値変更指示を受信した場合でも、現在設定されているＳＩＲ基準値を無条件に即座に指示されたＳＩＲ基準値に変更するのではなく、移動機から無線基地局への上り回線における現在の受信品質に基づいて、段階的に更新処理を行うのか、即座に更新処理を行うのかを選択するようにしている。
【００１８】
従って、上位装置からのＳＩＲ基準値変更指示がＳＩＲ基準値を上げる旨の指示の場合でも、現在の受信品質が良好な場合には、段階的にＳＩＲ基準値を上げるように更新し、上位装置からのＳＩＲ基準値変更指示がＳＩＲ基準値を下げる旨の指示の場合でも、現在の受信品質が悪い場合には、段階的にＳＩＲ基準値を下げるように更新するので、不要にＳＩＲ基準値を高く設定したり、ＳＩＲ基準値を必要以上に低く設定する等の弊害を防ぎ、実際の受信状況に適合した送信電力制御を実現することが可能となる。
【発明の効果】
【００１９】
以上説明したように、本発明によれば、無線基地局が、上位装置からのＳＩＲ基準値変更指示を受信した場合でも、現在の受信状況に応じてＳＩＲ基準値の変更を変化させることにより、実際の受信状況に応じた送信電力制御を実現することができるという効果を得ることができる。
【発明を実施するための最良の形態】
【００２０】
次に、本発明の実施の形態について図面を参照して詳細に説明する。
【００２１】
図１は本発明の一実施形態の無線携帯電話システムにおける無線基地局内部の構成を示すブロック図である。
【００２２】
本実施形態における無線基地局は、図１に示されるような、無線品質測定処理部４１と、測定結果保存処理部４２と、基準値補正処理部４４と、基準値比較処理部４５とを備えている。
【００２３】
本実施形態における上位装置は、無線基地局に対して送信するＳＩＲ基準値の変更を指示するメッセージ４３に、ＳＩＲ基準値の変更を決定する際に判断対象としたフレーム範囲を示す情報を付加する。
【００２４】
従来の無線携帯電話システムでは、上位装置から無線基地局に対して図２に示されるようなＳＩＲ基準値の変更を指示するメッセージが送信されているが、本実施形態では、図３に示すようなメッセージが使用される。
【００２５】
本実施形態において、上記装置から無線基地局に対して送信されるＳＩＲ基準値の変更を指示するメッセージには、図３に示されるように、従来からの情報に加えて、ＳＩＲ基準値の変更を決定する際に判断対象としたフレーム範囲を示す情報として、判断対象フレーム範囲の先頭のフレームナンバーであるスタートフレームナンバーと、判断対象フレーム範囲の最後のフレームナンバーであるラストフレームナンバーの情報が含まれている。
【００２６】
無線品質測定処理部４１は、移動機から無線基地局への上り信号(ＵＬ−ＤＣＨ)における受信品質を測定する。
【００２７】
測定結果保存処理部４２は、図４に示すように、無線品質測定処理部４１により測定された受信品質結果をフレーム毎に履歴として保存する。
【００２８】
基準値補正処理部４４は、上位装置からのＳＩＲ基準値変更指示を受信すると、対象フレームの測定結果と現在の受信品質状況から判断しＳＩＲ基準値の更新処理を行い、更新したＳＩＲ基準値を基準値比較処理部４５に通知する。
【００２９】
基準値比較処理部４５は、現在設定されているＳＩＲ基準値と、無線品質測定処理部４１により測定された上り回線における受信ＳＩＲとを比較して、移動機の送信電力を上げるか下げるかを決定し、その結果をＴＰＣ情報として移動機に指示する。
【００３０】
次に、本実施形態における無線基地局の動作を図面を参照して詳細に説明する。
【００３１】
無線基地局ではフレーム単位で、無線品質測定処理部４１により測定された受信品質情報を上位装置に報告するが、並行して同様の受信品質情報を、図４に示すように測定結果保存処理部４２に保存する処理を常時実施しておく。図１４に示したように受信ＳＩＲが劣化した場合（ＦＮ＝４〜１２）、受信品質も劣化している可能性がある。この場合、上位装置はＵＬ−ＦＰ信号に含まれる品質情報で受信状況が悪化したと判定し、無線基地局に設定されているＳＩＲ基準値を変更することを決定し、ＳＩＲ基準値変更指示メッセージを無線基地局に送信する。そして、本実施形態では、上位装置は、受信状況が劣化したと判定した対象フレーム範囲を明示するため、図３に示すように、ＳＩＲ基準値変更指示メッセージの予備エリアに対象フレーム範囲を示す情報を含めて無線基地局に通知する。
【００３２】
次に、本実施形態における無線基地局が、上位装置からのＳＩＲ基準値変更指示メッセージを受信した場合に行われるＳＩＲ基準値更新処理の動作を図５のフローチャートに示す。なお、このＳＩＲ基準値更新処理は、図１に示した基準値補正処理部４４において行われる。
【００３３】
無線基地局では、上位装置からのＳＩＲ基準値変更指示メッセージを受信した場合、指示されたＳＩＲ基準値（以降、ＳＩＲ基準値（新）と称する。）と、現在のＳＩＲ基準値（以降、ＳＩＲ基準値（旧）と称する。）との比較が行われる（ステップ５０１）。
【００３４】
つまり、無線基地局装置は、上位装置からのＳＩＲ基準値変更指示を受信すると、このＳＩＲ基準値変更指示がＳＩＲ基準値を上げる旨の指示なのかＳＩＲ基準値を下げる旨の指示なのかを判定する。
【００３５】
そして、ＳＩＲ基準値（新）がＳＩＲ基準値（旧）より大きい場合、つまりＳＩＲ基準値を上げる旨のＳＩＲ基準値変更指示メッセージであった場合、現在の受信品質が良好か否かの判定が行われる（ステップ５０２）。ここでの現在の受信品質とは、受信ＳＩＲ、ＱＥ情報、ＣＲＣ結果のいずれの情報に基づく受信品質を用いてもよい。
【００３６】
そして、ステップ５０２において現在の受信品質が良好でないと判定された場合には、従来と同様に、無線基地局内で使用するＳＩＲ基準値を、上位装置により指定されたＳＩＲ基準値（新）に変更する（ステップ５０３）。
【００３７】
そして、ステップ５０２において現在の受信品質が良好であると判定された場合には、受信状況が既に回復してＳＩＲ基準値を増加させる必要がない場合があることを考慮して、ＳＩＲ基準値の徐徐上げ制御が行われる（ステップ５０４）。このＳＩＲ基準値の徐徐上げ制御については以下で別途詳細に説明する。
【００３８】
また、ステップ５０１においてＳＩＲ基準値（新）がＳＩＲ基準値（旧）より小さい場合、つまりＳＩＲ基準値を下げる旨のＳＩＲ基準値変更指示メッセージであった場合、現在の受信品質が良好か否かの判定が行われる（ステップ５０５）。
【００３９】
そして、ステップ５０５において現在の受信品質が良好であると判定された場合には、従来と同様に、無線基地局内で使用するＳＩＲ基準値を、上位装置により指定されたＳＩＲ基準値（新）に変更する（ステップ５０６）。
【００４０】
そして、ステップ５０５において現在の受信品質が良好でないと判定された場合には、受信状況が悪化してＳＩＲ基準値を減少させると所要受信品質が確保できなくなる可能性を考慮して、ＳＩＲ基準値の徐徐下げ制御が行われる（ステップ５０７）。このＳＩＲ基準値の徐徐下げ制御については以下で別途詳細に説明する。
【００４１】
なお、ステップ５０１において、ＳＩＲ基準値（新）とＳＩＲ基準値（旧）が同じ場合、つまり現在のＳＩＲ基準値を維持する旨のＳＩＲ基準値変更指示メッセージであった場合、ＳＩＲ基準値の変更処理が行われない。
【００４２】
次に、図５のフローチャートのステップ５０４に示された、ＳＩＲ基準値徐徐上げ制御の詳細を図６のフローチャートを参照して説明する。
【００４３】
先ず、無線基地局では、上位装置から示された対象範囲における品質が良好であったか否かが判定される（ステップ６０１）。そして、対象範囲のフレームの受信品質が良好でない場合（ケース１）と、対象範囲のフレームの受信品質が良好な場合（ケース２）とで、それぞれフレームあたりにＳＩＲ基準値を更新する上げ幅が異なるように設定する（ステップ６０２、６０３）。
＜徐徐上げ制御＞
ケース１：現在のフレームの受信品質は良好であるが対象範囲のフレームの受信品質は悪かった場合
この場合は、受信状況は回復方向にあると考えられるため、１フレーム期間でＳＩＲ基準値を更新するステップ幅であるＳＩＲステップを下記の式により算出する。
【００４４】
ＳＩＲステップ１（＋）＝ＳＩＲ基準値差／到達フレーム数
ケース２：現在のフレームの受信品質は良好であり、対象範囲のフレームの受信品質も良好であった場合
この場合はケース１と類似した動作となるが、ＳＩＲ基準値の上げ幅をケース１の場合とは異なるよう、下記の式により算出する。
【００４５】
ＳＩＲステップ２（＋）＝ＳＩＲ基準値差／（到達フレーム数×ｎ）
本来、対象範囲のフレームの受信品質が悪かったため、上位装置では、ＳＩＲ基準値を上げる旨のＳＩＲ基準値変更指示メッセージを無線基地局に送信してきたはずである。よって、このケース２に該当する場合は本来あり得ないはずである。しかし、無線基地局では、どのような状況になった場合でも処理する内容を決定しなければならないため、このようなケース２の場合についても定義している。
【００４６】
なお、上記の式中において、到達フレーム数や、ｎの値は予め設定しておく値であり、到達フレーム数により徐徐上げ制御を行う期間が設定され、ｎの値によりＳＩＲステップ１（＋）とＳＩＲステップ２（＋）の差が設定される。
【００４７】
次に、図５のフローチャートのステップ５０７に示された、ＳＩＲ基準値徐徐下げ制御の詳細を図７のフローチャートを参照して説明する。
【００４８】
先ず、無線基地局では、上位装置から示された対象範囲における品質が良好であったか否かが判定される（ステップ７０１）。そして、対象範囲のフレームの受信品質が良好である場合（ケース３）と、対象範囲のフレームの受信品質が良好でない場合（ケース４）とで、それぞれフレームあたりにＳＩＲ基準値を更新する下げ幅が異なるように設定する（ステップ７０２、７０３）。
＜徐徐下げ制御＞
ケース３：現在のフレームの受信品質は悪化しているが対象範囲のフレームの受信品質は良好であった場合
この場合、受信状況は悪化方向にあると考えられるため、１フレーム期間でＳＩＲ基準値を更新するステップ幅であるＳＩＲステップを下記の式により算出する。
【００４９】
ＳＩＲステップ１（−）＝ＳＩＲ基準値差／到達フレーム数
ケース４：現在のフレームの受信品質は悪化しており、対象範囲のフレームの受信品質も悪かった場合
この場合はケース３と類似した動作となるが、ＳＩＲ基準値の下げ幅をケース３とは異なるよう、下記の式により算出する。
【００５０】
ＳＩＲステップ２（−）＝ＳＩＲ基準値差／（到達フレーム数×ｎ）
本来、対象範囲のフレームの受信品質が良好だったため、上位装置では、ＳＩＲ基準値を下げる旨のＳＩＲ基準値変更指示メッセージを無線基地局に送信してきたはずである。よって、このケース４に該当する場合は本来あり得ないはずである。しかし、無線基地局では、どのような状況になった場合でも処理する内容を決定しなければならないため、このようなケース４の場合についても定義している。
【００５１】
次に、ＳＩＲ基準値の上げ幅、下げ幅を決定した後の、各フレーム毎のＳＩＲ基準値の更新処理を図８、図９のフローチャートを参照して説明する。
【００５２】
先ず、ＳＩＲ基準値変更指示がＳＩＲ基準値を上げる旨のメッセージだった場合、図８に示されるように、現在の受信品質が良好かどうかの判定が行われ（ステップ８０１）、受信品質が良好な場合にはＳＩＲ基準値の更新は保留され、受信品質が悪い場合にのみＳＩＲ基準値の更新処理が行われる。
【００５３】
そして、現在のＳＩＲ基準値が上位装置から指定されたＳＩＲ基準値（新）に到達するまで（ステップ８０２）、１フレーム毎に現在のＳＩＲ基準値を、図６のフローチャートにおいて算出されたＳＩＲステップ（＋）だけ上げる処理が行われる（ステップ８０３）。ここで、ＳＩＲステップ（＋）は、ＳＩＲステップ１（＋）と、ＳＩＲステップ２（＋）のいずれかの上げ幅を示している。
【００５４】
このようにして無線基地局に設定されているＳＩＲ基準値（旧）が、上位装置から指定されたＳＩＲ基準値（新）に徐徐上げ制御により更新される様子を図１０に示す。
【００５５】
次に、ＳＩＲ基準値変更指示がＳＩＲ基準値を下げる旨のメッセージだった場合、図９に示されるように、現在の受信品質が良好かどうかの判定が行われ（ステップ９０１）、受信品質が悪い場合にはＳＩＲ基準値の更新は保留され、受信品質が良好な場合にのみＳＩＲ基準値の更新処理が行われる。
【００５６】
そして、現在のＳＩＲ基準値が上位装置から指定されたＳＩＲ基準値（新）に到達するまで（ステップ９０２）、１フレーム毎に現在のＳＩＲ基準値を、図７のフローチャートにおいて算出されたＳＩＲステップ（−）だけ上げる処理が行われる（ステップ９０３）。ここで、ＳＩＲステップ（−）は、ＳＩＲステップ１（−）と、ＳＩＲステップ２（−）のいずれかの下げ幅を示している。
【００５７】
このようにして無線基地局に設定されているＳＩＲ基準値（旧）が、上位装置から指定されたＳＩＲ基準値（新）に徐徐下げ制御により更新される様子を図１１に示す。
【００５８】
上記で説明したような処理が行われることにより、無線基地局装置では、上位装置から受信したＳＩＲ基準値変更指示がＳＩＲ基準値を上げる旨の指示であり、移動機から無線基地局への上り回線における現在の受信品質が一定の基準よりも良好な場合には、設定されているＳＩＲ基準値を、上位装置から指定されたＳＩＲ基準値に段階的に上げる徐徐上げ更新処理を行う。また、無線基地局装置では、記ＳＩＲ基準値変更指示がＳＩＲ基準値を下げる旨の指示であり、移動機から無線基地局への上り回線における現在の受信品質が一定の基準よりも悪い場合には、設定されているＳＩＲ基準値を、上位装置から指定されたＳＩＲ基準値に段階的に下げる徐徐下げ更新処理を行う。
【００５９】
そのため、上位装置からのＳＩＲ基準値変更指示がＳＩＲ基準値を上げる旨の指示の場合でも、現在の受信品質が良好な場合には、段階的にＳＩＲ基準値を上げるように更新し、上位装置からのＳＩＲ基準値変更指示がＳＩＲ基準値を下げる旨の指示の場合でも、現在の受信品質が悪い場合には、段階的にＳＩＲ基準値を下げるように更新する。その結果、不要にＳＩＲ基準値を高く設定したり、ＳＩＲ基準値を必要以上に低く設定する等の弊害を防ぎ、実際の受信状況に適合した送信電力制御を実現することが可能となる。
【００６０】
そして、徐徐上げ更新処理においては、移動機から無線基地局への上り回線における現在の受信品質が一定の基準よりも良好な場合には更新処理を保留し、一定の基準よりも受信品質が悪い場合にのみ、設定されたステップ幅でＳＩＲ基準値を上げる更新処理を行う。また、徐徐下げ更新処理においては、移動機から無線基地局への上り回線における現在の受信品質が一定の基準よりも悪い場合には更新処理を保留し、一定の基準よりも受信品質が良好な場合にのみ、設定されたステップ幅でＳＩＲ基準値を下げる更新処理を行う。
【００６１】
このような処理とすることにより、上り回線の現在の受信品質の変化に応じて、ＳＩＲ基準値更新処理を保留したり継続したりすることが可能となる。
【図面の簡単な説明】
【００６２】
【図１】本発明の一実施形態の無線携帯電話システムにおける無線基地局内部の構成を示すブロック図である。
【図２】従来の無線携帯電話システムにおいて、上位装置から無線基地局に対して送信されるＳＩＲ基準値変更指示メッセージを示す図である。
【図３】本発明の一実施形態の無線携帯電話システムにおいて、上位装置から無線基地局に対して送信されるＳＩＲ基準値変更指示メッセージを示す図である。
【図４】測定結果保存処理部４２に保存される、フレーム毎の受信品質結果を説明するための図である。
【図５】本発明の一実施形態における無線基地局が、上位装置からのＳＩＲ基準値変更指示メッセージを受信した場合に行われるＳＩＲ基準値更新処理の動作を示すフローチャートである。
【図６】図５のフローチャートのステップ５０４に示された、ＳＩＲ基準値徐徐上げ制御の詳細を示すフローチャートである。
【図７】図５のフローチャートのステップ５０７に示された、ＳＩＲ基準値徐徐下げ制御の詳細を示すフローチャートである。
【図８】ＳＩＲ基準値の上げ幅が決定された後の、各フレーム毎のＳＩＲ基準値の更新処理を示すフローチャートである。
【図９】ＳＩＲ基準値の下げ幅が決定された後の、各フレーム毎のＳＩＲ基準値の更新処理を示すフローチャートである。
【図１０】無線基地局に設定されているＳＩＲ基準値（旧）が、上位装置から指定されたＳＩＲ基準値（新）に徐徐上げ制御により更新される様子を示す図である。
【図１１】無線基地局に設定されているＳＩＲ基準値（旧）が、上位装置から指定されたＳＩＲ基準値（新）に徐徐下げ制御により更新される様子を示す図である。
【図１２】無線基地局において行われる送信電力制御のしくみを説明するための図である。
【図１３】移動機、無線基地局、上位装置間の動作を表したシーケンスチャートである。
【図１４】無線基地局におけるＳＩＲ基準値と受信ＳＩＲの変動の様子を示す図である。
【符号の説明】
【００６３】
４１    無線品質測定処理部
４２    測定結果保存処理部
４３    ＳＩＲ基準値変更指示メッセージ
４４    基準値補正処理部
４５    基準値比較処理部
１０１〜１０４    ステップ
５０１〜５０７    ステップ
６０１〜６０３    ステップ
７０１〜７０３    ステップ
８０１〜８０３    ステップ
９０１〜９０３    ステップ
【図１】
0004572146.tif 000002
【図２】
0004572146.tif 000003
【図３】
0004572146.tif 000004
【図４】
0004572146.tif 000005
【図５】
0004572146.tif 000006
【図６】
0004572146.tif 000007
【図７】
0004572146.tif 000008
【図８】
0004572146.tif 000009
【図９】
0004572146.tif 000010
【図１０】
0004572146.tif 000011
【図１１】
0004572146.tif 000012
【図１２】
0004572146.tif 000013
【図１３】
0004572146.tif 000014
【図１４】
0004572146.tif 000015